(57)【特許請求の範囲】
【請求項１】
円筒立上部（３０）の側面に頸部（３１）を形成し、
前記円筒立上部（３０）の上端から傾斜円弧部（３２）を介して開口巻設部（４０）を形成し、
前記開口巻設部（４０）を前記傾斜円弧部（３２）の上端から内側に延びる巻設基部（４１）とそれから上方外側へ更に外側下方に延びる巻設中央部（４２）とそれから内側に延びる巻設先端部（４３）とから形成してなる弾性鈎止片付キャップ用缶口（２０）に於いて、
前記巻設中央部（４２）の上方外側に延びる部分を前記巻設基部（４１）の略水平に延びる部分の内側端から延びるように形成するとともに、
前記巻設中央部（４２）の外側下方に延びる部分の上面形状を前記傾斜円弧部（３２）の上面と実質的に連続する円弧面を有するように形成し、
前記傾斜円弧部（３２）の上端より内側に位置する前記巻設中央部（４２）の外側下端から前記巻設先端部（４３）を内側に延びるようにするとともに、
前記巻設基部（４１）を前記傾斜円弧部（３２）の上端から下方内側に円弧状に延びて若干沈む部分とそれから内側に略水平に延びる部分とからなるように形成し、
且つ前記巻設先端部（４３）を前記巻設基部（４１）の上面形状と合致するように下方内側に延びる円弧状部とそれから内側に略水平に延びる部分とで形成するとともにその先端が前記巻設中央部（４２）の根本部分内側に当接するように形成したことを特徴とする弾性鈎止片付キャップ用缶口。
【発明の詳細な説明】
【０００１】
【産業上の利用分野】
本発明は、石油缶、塗料缶、飲料水缶等の弾性鈎止片付キャップ用缶口に関するものである。
【０００２】
【従来の技術】
従来の弾性鈎止片付キャップ用缶口は、実開昭６２−１３７２１５号公報に示されているように、円筒立上部の側面に頸部を形成し、前記円筒立上部の上端から傾斜円弧部を介して開口巻設部を形成し、前記開口巻設部を前記傾斜円弧部の上端から内側に延びる巻設基部とそれから上方外側へ更に外側下方に延びる巻設中央部とそれから内側に延びる巻設先端部とから形成してなるものが公知である。
【０００３】
【発明が解決しようとする課題】
かかる従来の弾性鈎止片付キャップ用缶口は、巻設中央部の外側下方に延びる部分の上面形状が傾斜円弧部の上面と連続するようになっていないので、傾斜円弧部の上面の傾斜角度がまだ緩やかで、弾性鈎止片付キャップを缶口に嵌着する際に傾斜円弧部の上面を滑らせて嵌合する力がかなり必要となり、作業能率を十分に上げることができなかった。
【０００４】
【課題を解決するための手段】
本発明は、かかる課題を解決するためになされたもので、円筒立上部（３０）の側面に頸部（３１）を形成し、前記円筒立上部（３０）の上端から傾斜円弧部（３２）を介して開口巻設部（４０）を形成し、前記開口巻設部（４０）を前記傾斜円弧部（３２）の上端から内側に延びる巻設基部（４１）とそれから上方外側へ更に外側下方に延びる巻設中央部（４２）とそれから内側に延びる巻設先端部（４３）とから形成してなる弾性鈎止片付キャップ用缶口（２０）に於いて、前記巻設中央部（４２）の外側下方に延びる部分の上面形状を前記傾斜円弧部（３２）の上面と実質的に連続する円弧面を有するように形成し、前記傾斜円弧部（３２）の上端より内側に位置する前記巻設中央部（４２）の外側下端から前記巻設先端部（４３）を内側に延びるようにするとともに、前記巻設基部（４１）を前記傾斜円弧部（３２）の上端から若干沈むように形成し、且つ前記巻設先端部（４３）を前記巻設基部（４１）の上面形状と合致するように形成したことを特徴とする弾性鈎止片付キャップ用缶口としたものである。
【０００５】
【作用】
かかる弾性鈎止片付キャップ用缶口によれば、巻設中央部（４２）の外側下方に延びる部分の上面形状を傾斜円弧部（３２）の上面と実質的に連続する円弧面になるように形成したので、頸部（３１）からその開口巻設部（４０）の上端までの高さ寸法が小さい状態で傾斜円弧部（３２）の上面の傾斜角度を急角度にすることができる。これにより、弾性鈎止片の高さの低い従来一般に広く使用されている弾性鈎止片付キャップを使用することができるとともに、弾性鈎止片付キャップを缶口（２０）に嵌着する際に弾性鈎止片を傾斜円弧部（３２）の上面をスムースに滑らせることができ、これによって嵌合力が小さくて作業能率を優れたものとすることができる。
また、単に傾斜円弧部（３２）より内側に位置する巻設中央部（４２）の外側下端から巻設先端部（４３）を内側に延びるようにすると、開口巻設部（４０）の巻設長さが短くなりその成形が非常に難しくなるが、巻設基部（４１）を傾斜円弧部（３２）の上端から若干沈むよう形成し、巻設先端部（４３）を巻設基部（４１）の上面形状と合致して沈むように形成したので、その沈んだ分だけ開口巻設部（４０）の巻設長さを長くすることができ、開口巻設部（４０）を容易に成形することができるとともに、巻設先端部（４３）の先端切断面に発生する錆の外部への流出を阻止することができる。
更には、巻設先端部４３の先端を巻設中央部４２の根本部分内側に当接したので、巻設中央部４２の上面に上方から衝撃力が加わっても巻設中央部４２の根本部で受けとめることができ、衝撃力に強いものとすることができる。
【０００６】
【実施例】
以下、本発明の一実施例を図１に基づいて説明する。缶天板１０の所定位置に形成された天板カシメ部１１と缶口２０の下端に形成された缶口カシメ部５０とがかしめ成形されて、缶口２０が缶天板１０の上面より上方に突出する状態に固着されている。なお、缶口２０は、缶天板１０より一体に絞りだして形成したものでも良い。缶口２０の両面には、合成樹脂皮膜がラミネートまたは塗装されて形成されている。缶口２０は、円筒立上部３０と開口巻設部４０と缶口カシメ部５０とより構成されている。円筒立上部３０の側面には頸部３１が全周にわたって形成され、弾性鈎止片付キャップの弾性鈎止片が係止できるようになっている。円筒立上部３０上端から傾斜円弧部３２を介して開口巻設部４０が円筒立上部３０の上方内側に位置するように設けられている。
開口巻設部４０は、傾斜円弧部３２から延びる巻設基部４１とこの巻設基部４１から延びる巻設中央部４２とこの巻設中央部４２から延びる巻設先端部４３とから構成されている。巻設基部４１は、傾斜円弧部３２の上端から延びて円弧状に若干沈む部分とそれから略水平に延びる部分とよりなっている。巻設中央部４２は、巻設基部４１の内側端から上方外側に延びる部分とそれから外側下方に延びる部分とよりなっている。巻設中央部４２の外側下方に延びる部分は、傾斜円弧部３２の上面と実質的に連続する円弧面を有するように形成されている。巻設先端部４３は、傾斜円弧部３２より内側に位置する巻設中央部４２の外側下端から巻設基部４１の上面に接触するように巻設基部４１の上面形状と同一形状で内側に延びてその先端が巻設中央部４２の根本部分内側に当接している。
【０００７】
かかる缶口２０によれば、巻設中央部４２の外側下方に延びる部分の上面形状を傾斜円弧部３２の上面と実質的に連続する円弧面になるように形成したので、頸部３１からその開口巻設部４０の上端までの高さ寸法が小さい状態で傾斜円弧部３２の上面の傾斜角度を急角度にすることができる。これにより、弾性鈎止片の高さの低い従来一般に広く使用されている弾性鈎止片付キャップを使用することができるとともに、弾性鈎止片付キャップを缶口２０に嵌着する際に弾性鈎止片を傾斜円弧部３２の上面をスムースに滑らせることができ、これによって嵌合力が小さくて作業能率を優れたものとすることができる。
また、単に傾斜円弧部３２より内側に位置する巻設中央部４２の外側下端から巻設先端部４３を内側に延びるようにすると、開口巻設部４０の巻設長さが短くなりその成形が非常に難しくなるが、巻設基部４１を傾斜円弧部３２の上端から若干沈むよう形成し、巻設先端部４３を巻設基部４１の上面形状と合致して沈むように形成したので、その沈んだ分だけ開口巻設部４０の巻設長さを長くすることができ、開口巻設部４０を容易に成形することができるとともに、巻設先端部４３の先端切断面に発生する錆の外部への流出を阻止することができる。
更には、巻設先端部４３の先端を巻設中央部４２の根本部分内側に当接したので、巻設中央部４２の上面に上方から衝撃力が加わっても巻設中央部４２の根本部で受けとめることができ、衝撃力に強いものとすることができる。
【０００８】
【発明の効果】
本発明によれば、弾性鈎止片の高さの低い従来一般に広く使用されている弾性鈎止片付キャップを使用することができるとともに、弾性鈎止片付キャップを缶口（２０）に嵌着する際に弾性鈎止片を傾斜円弧部（３２）の上面をスムースに滑らせることができて嵌合力が小さく作業能率を優れたものとすることができ、また、開口巻設部（４０）の巻設長さを長くすることができて開口巻設部（４０）を容易に成形することができ、更には、巻設先端部（４３）の先端切断面に発生する錆の外部への流出を阻止することができる弾性鈎止片付キャップ用缶口を提供することができ、巻設中央部４２の上面に上方から衝撃力が加わっても巻設中央部４２の根本部で受けとめることができ、衝撃力に強いものとすることができる。
【図面の簡単な説明】
【図１】本発明の弾性鈎止片付キャップ用缶口の縦断面図である。
【符号の説明】
缶天板…１０、天板カシメ部…１１、缶口…２０、円筒立上部…３０、頸部…３１、傾斜円弧部…３２、開口巻設部…４０、巻設基部…４１、巻設中央部…４２、巻設先端部…４３、缶口カシメ部…５０。
【図１】
0003713631.tif 000002